(57)【特許請求の範囲】
【請求項１】
互いに相対移動可能に連結された複数の部材を備え、該複数の部材の相対移動を伴って、キャラクタの形態を呈する第１形態と該第１形態とは異なる第２形態との間で変形可能な変形玩具であって、
前記第１形態において露出した面であって該変形玩具を自立可能とする接地面と、
前記第２形態において露出した面であって前記接地面以外の面に付されたディジタルコ
ードであって、少なくとも一つの前記部材によって形成される凹部内に収容されるディジタルコードと、
を有する変形玩具。
【請求項２】
請求項１記載の変形玩具であって、
前記凹部を形成する部材に前記接地面が設けられている変形玩具。
【請求項３】
請求項１又は２記載の変形玩具であって、
前記ディジタルコードが設けられた第１部材を含み、
前記第２形態において、前記第１部材は、前記ディジタルコードが設けられた表面を前
記凹部の外側に向けて該凹部の開口に配置され、
前記第２形態から前記第１形態への変形において、前記第１部材は、前記ディジタルコ
ードが設けられた表面を前記凹部の内側に向けるように反転される変形玩具。
【請求項４】
請求項３に記載の変形玩具であって、
前記第１部材が反転されることにより前記第２形態から前記第１形態へと変形可能に構
成されている変形玩具。
【請求項５】
互いに相対移動可能に連結された複数の部材を備え、該複数の部材の相対移動を伴って、キャラクタの形態を呈する第１形態と該第１形態とは異なる第２形態との間で変形可能な変形玩具であって、
前記第１形態において露出した面であって該変形玩具を自立可能とする接地面と、
前記第２形態において露出した面であって前記接地面以外の面に付されたディジタルコ
ードと、
前記第２形態において露出した面であって前記ディジタルコードの読取装置への装着面と、
を有し、
前記ディジタルコードは、前記装着面の縁部に設けられており、前記装着面の中央部に、前記読取装置との係合部が設けられている変形玩具。
【請求項６】
請求項１から５のいずれか一項記載の変形玩具と、
前記第２形態にある前記変形玩具を装着可能な装着部と、該装着部に装着された前記変
形玩具の前記ディジタルコードを読み取る読取部と、該読取部により読み取ったディジタ
ルコードに基づいて処理を実行する制御部とを有する読取装置と、
を備える遊戯システム。
【請求項７】
請求項６記載の遊戯システムであって、
前記読取装置は、画像表示部をさらに有し、
前記制御部は、前記読取部により読み取ったディジタルコードに基づいて、前記装着部
に装着された前記変形玩具に対応する画像を前記画像表示部に表示させる遊戯システム。
【発明の詳細な説明】
【技術分野】
【０００１】
本発明は、変形玩具及び遊戯システムに関する。
【背景技術】
【０００２】
互いに回動可能に連結された複数の部材を備え、これら複数の部材の回動を伴って、キャラクタ形態と折りたたまれた形態とで変形可能な玩具が知られている（例えば、特許文献１）。
【０００３】
また、携帯電話機や携帯ゲーム機などのカメラ付きの電子機器によって読み取り可能なディジタルコードが付され、電子機器と連動した遊びを可能とする玩具も知られている。
【先行技術文献】
【特許文献】
【０００４】
【特許文献１】特開２０１０−１３１３６７号公報
【発明の概要】
【発明が解決しようとする課題】
【０００５】
玩具は、典型的には、使用に伴う擦れ等を受ける。特に、キャラクタ形態にあるときの変形玩具は、例えばキャラクタの動きを模倣するように机上や床上などで動かされ、擦れ等を受ける可能性が高い。そして、ディジタルコードが付された変形玩具にあっては、ディジタルコードが汚損、欠損する虞があり、ディジタルコードが汚損、欠損すると電子機器による読み取りが不能となる。
【０００６】
本発明は、上述した事情に鑑みなされたものであり、ディジタルコードが付された変形玩具であって、当該ディジタルコードの保護を図ることを目的の一つとしている。
【課題を解決するための手段】
【０００７】
本発明に係る変形玩具は、互いに相対移動可能に連結された複数の部材を備え、該複数の部材の相対移動を伴って、キャラクタの形態を呈する第１形態と該第１形態とは異なる第２形態との間で変形可能な変形玩具であって、前記第１形態において露出した面であって該変形玩具を自立可能とする接地面と、前記第２形態において露出した面であって前記接地面以外の面に付されたディジタルコードであって、少なくとも一つの前記部材によって形成される凹部内に収容されるディジタルコードと、を有することを特徴とする。
【００１３】
また、本発明に係る変形玩具においては、前記ディジタルコードを収容する前記凹部を形成する前記部材に前記接地面が設けられてもよい。
【００１４】
また、本発明に係る変形玩具においては、前記ディジタルコードが設けられた第１部材を含み、前記第２形態において、前記第１部材が、前記ディジタルコードが設けられた表面を前記凹部の外側に向けて該凹部の開口に配置され、前記第２形態から前記第１形態への変形において、前記第１部材が、前記ディジタルコードが設けられた表面を前記凹部の内側に向けるように反転されてもよい。
【００１５】
また、本発明に係る変形玩具においては、前記第１部材が反転されることにより前記第２形態から前記第１形態へと変形可能に構成されてもよい。
【００１６】
また、本発明に係る変形玩具においては、互いに相対移動可能に連結された複数の部材を備え、該複数の部材の相対移動を伴って、キャラクタの形態を呈する第１形態と該第１形態とは異なる第２形態との間で変形可能な変形玩具であって、前記第１形態において露出した面であって該変形玩具を自立可能とする接地面と、前記第２形態において露出した面であって前記接地面以外の面に付されたディジタルコードと、前記第２形態において露出した面であって前記ディジタルコードの読取装置への装着面と、を有し、前記ディジタルコードは、前記装着面の縁部に設けられており、前記装着面の中央部に、前記読取装置との係合部が設けられてもよい。
【００１８】
また、本発明に係る遊戯システムは、前記第２形態にある前記変形玩具を装着可能な装着部と、該装着部に装着された前記変形玩具の前記ディジタルコードを読み取る読取部と、該読取部により読み取ったディジタルコードに基づいて処理を実行する制御部とを有する読取装置と、を備えることを特徴とする。
【００１９】
また、本発明に係る遊戯システムにおいては、読取装置が画像表示部をさらに有し、前記制御部が、前記読取部により読み取ったディジタルコードに基づいて、前記装着部に装着された前記変形玩具に対応する画像を前記画像表示部に表示させてもよい。
【発明の効果】
【００２０】
本発明によれば、変形玩具に付されたディジタルコードを保護し、コードの汚損、欠損を抑制することができる。
【図面の簡単な説明】
【００２１】
【図１】本発明の実施形態を説明するための変形玩具の一例の構成を示し、第１形態における斜視図である。
【図２】図１の変形玩具の第１形態における斜視図である。
【図３】図１の変形玩具の第２形態における斜視図である。
【図４】図１の変形玩具の第２形態における斜視図である。
【図５】本発明の実施形態を説明するための変形玩具の他の例の構成を示し、第１形態における斜視図である。
【図６】図５の変形玩具の第１形態における斜視図である。
【図７】図５の変形玩具の第２形態における斜視図である。
【図８】図５の変形玩具の第２形態における斜視図である。
【図９】本発明の実施形態を説明するための変形玩具の他の例の構成を示し、第１形態における斜視図である。
【図１０】図９の変形玩具の第１形態における斜視図である。
【図１１】図９の変形玩具の第２形態における斜視図である。
【図１２】図９の変形玩具の第２形態における斜視図である。
【図１３】本発明の実施形態を説明するための遊戯システムの一例の構成を示す図である。
【図１４】図１３の読取装置の機能ブロックを示す図である。
【発明を実施するための形態】
【００２２】
図１から図４は、本発明の実施形態を説明するための変形玩具の一例の構成を示し、図１及び図２はキャラクタ形態（第１形態）を、また図３及び図４は非キャラクタ形態（第２形態）をそれぞれ示す。
【００２３】
図１及び図２に示すように、変形玩具１は、胴体部材１０と、胴体部材１０に連結されている頭部材１１、左右一対の翼部１２ａ，１２ｂ、左右一対の脚部材１３ａ，１３ｂ、及び尻尾部１４とを備えて構成されている。
【００２４】
左側翼部１２ａは、根元部材１５ａと、翼端部材１６ａと、で構成されている。根元部材１５ａは、胴体部材１０に設けられた軸部１７ａに回動可能に支持されており、翼端部材１６ａは、根元部材１５ａに設けられた軸部１８ａに回動可能に支持されている。
【００２５】
右側翼部１２ｂもまた、根元部材１５ｂと、翼端部材１６ｂと、で構成されている。根元部材１５ｂは、胴体部材１０に設けられた軸部１７ｂに回動可能に支持されており、翼端部材１６ｂは、根元部材１５ｂに設けられた軸部１８ｂに回動可能に支持されている。
【００２６】
尻尾部１４は、根元部材１９と、尾端部材２０とで構成されている。根元部材１９は、胴体部材１０に設けられた軸部２１に回動可能に支持されており、尾端部材２０は、根元部材１９に設けられた軸部２２に回動可能に支持されている。
【００２７】
左側脚部材１３ａは、胴体部材１０に設けられたボールジョイント２２ａに回動可能に支持されている。右側脚部材１３ｂもまた、胴体部材１０に設けられたボールジョイント２２ｂに回動可能に支持されている。そして、左右一対の脚部材１３ａ，１３ｂの下面は、このキャラクタ形態において露出した面であって、変形玩具１を自立可能とする接地面２３ａ，２３ｂとされている。
【００２８】
頭部材１１は、胴体部材１０に設けられた軸部２４に回動可能に支持されている。そして、頭部材１１の後面２５は平坦面に形成されており、この後面２５には、変形玩具１に固有の識別情報を保持したディジタルコード２６が付されている。なお、ディジタルコードとしては、例えば白色又は黒色の正方形状のマークが上下左右に配列されたマトリックス式の二次元コードを好適に用いることができ、ディジタルコードが印刷されたシールを後面２５に貼り付けてもよいし、又はディジタルコードを後面２５に直接印刷してもよい。
【００２９】
胴体部材１０の後面２７には、ディジタルコード２６を読み取る読取装置との係合部２８が設けられている。読取装置については後述する。
【００３０】
頭部材１１、左右一対の翼部１２ａ，１２ｂ、左右一対の脚部材１３ａ，１３ｂ、及び尻尾部１４が胴体部材１０に対して回動され、折り畳まれることにより、変形玩具１は、図３及び図４に示す非キャラクタ形態に変形される。
【００３１】
非キャラクタ形態において、変形玩具１は、使用者が把持可能な大きさの扁平なブロック状を呈する。図４に示す非キャラクタ形態における変形玩具１の裏面は、上記の読取装置への装着面とされている。
【００３２】
装着面は、係合部２８が設けられた胴体部材１０の後面２７、及びディジタルコード２６が付された頭部材１１の後面２５を含む複数の部材の面の集合によって構成されている。そして、係合部２８は装着面の中央部に配置され、ディジタルコード２６は装着面の縁部に配置されている。
【００３３】
このように、キャラクタ形態において露出した面であって変形玩具１を自立可能とする接地面２３ａ，２３ｂが設けられ、ディジタルコード２６は、非キャラクタ形態において読取装置への装着面の一部をなす面であって接地面２３ａ，２３ｂ以外の面２５に付されている。それにより、変形玩具１の使用、特にキャラクタ形態での変形玩具１の使用に伴うディジタルコード２６の汚損、欠損を抑制することができる。
【００３４】
図５から図８は、本発明の実施形態を説明するための変形玩具の他の例の構成を示し、図５及び図６はキャラクタ形態（第１形態）を、また図７及び図８は非キャラクタ形態（第２形態）をそれぞれ示す。
【００３５】
図５及び図６に示すように、変形玩具１０１は、胴体部１１０と、胴体部１１０に連結されている複数の頭部材１１１とを備えて構成されている。
【００３６】
胴体部１１０は、環状部材１１３と、上蓋部材１１４と、下蓋部材１１５と、連結部材１１６と、可動片１１７とで構成されている。
【００３７】
環状部材１１３の下面は、キャラクタ形態において露出した面であって、変形玩具１０１を自立可能とする接地面１１８とされている。
【００３８】
上蓋部材１１４は、環状部材１１３の内側に配置され、環状部材１１３の軸方向にスライド移動可能に環状部材１１３に支持されている。キャラクタ形態において、上蓋部材１１４は、環状部材１１３の上側開口を塞ぎ、環状部材１１３と共に凹部１１９を構成している。
【００３９】
下蓋部材１１５は、連結部材１１６を介して環状部材１１３に連結されている。連結部材１１６は、環状部材１１３に設けられた軸部１２０に回動可能に支持されており、下蓋部材１１５は、連結部材１１６に設けられた軸部１２１に回動可能に支持されている。下蓋部材１１５は、軸部１２０を中心に環状部材１１３を周回し、環状部材１１３の上側及び下側の双方の開口に進入可能とされている。そして、キャラクタ形態において、下蓋部材１１５は、上蓋部材１１４の下に重なって環状部材１１３の上側開口に配置され、環状部材１１３及び上蓋部材１１４によって形成された凹部１１９に収容されている。
【００４０】
可動片１１７は、下蓋部材１１５に設けられた軸部１２２に回動可能に支持されており、表裏を反転可能とされている。キャラクタ形態において、凹部１１９の内側に向けられている可動片１１７の一方の面１２３には、変形玩具１０１に固有の識別情報を保持したディジタルコード１２４が付されている。
【００４１】
複数の頭部材１１１は、上蓋部材１１４に設けられたボールジョイント１２５に回動可能にそれぞれ支持されている。
【００４２】
複数の頭部材１１１が回動され、上蓋部材１１４が環状部材１１３の下側開口に向けてスライド移動される。併せて、下蓋部材１１５が周回されて環状部材１１３の上側開口に配置され、可動片１１７が表裏を反転されことにより、変形玩具１０１は、図７及び図８に示す非キャラクタ形態に変形される。
【００４３】
非キャラクタ形態において、変形玩具１０１は、使用者が把持可能な大きさの扁平なブロック状を呈する。図８に示す非キャラクタ形態における変形玩具１０１の裏面は、ディジタルコード１２４の読取装置への装着面とされている。
【００４４】
装着面は、下蓋部材１１５の一方の面１２７、及び反転されたことによって凹部１１９の外側に向けられた可動片１１７の面１２３を含む複数の部材の面の集合によって構成されている。そして、下蓋部材１１５の面１２７には、上記の読取装置との係合部１２８が設けられており、この係合部１２８は装着面の中央部に配置され、面１２３に付されたディジタルコード１２４は装着面の縁部に配置されている。
【００４５】
非キャラクタ形態において、可動片１１７は、環状部材１１３の上側開口の縁部に係合しており、可動片１１７が反転されることによって、可動片１１７と環状部材１１３との係合が解除される。それにより、下蓋部材１１５が周回可能とされ、非キャラクタ形態からキャラクタ形態への変形が可能となる。
【００４６】
このように、キャラクタ形態において露出した面であって変形玩具１０１を自立可能とする接地面１１８が設けられ、ディジタルコード１２４は、非キャラクタ形態において読取装置への装着面の一部をなす面であって接地面１１８以外の面１２３に付されている。さらに本例では、キャラクタ形態において、ディジタルコード１２４が付された面１２３は、環状部材１１３及び上蓋部材１１４によって形成された凹部１１９に収容されている。それにより、変形玩具１０１の使用、特にキャラクタ形態での変形玩具１０１の使用に伴うディジタルコード１２４の汚損、欠損を一層抑制することができる。
【００４７】
図９から図１２は、本発明の実施形態を説明するための変形玩具の他の例の構成を示し、図９及び図１０はキャラクタ形態（第１形態）を、また図１１及び図１２は非キャラクタ形態（第２形態）をそれぞれ示す。
【００４８】
図９及び図１０に示すように、変形玩具２０１は、胴体部材２１０と、胴体部材２１０に連結されている頭部材２１１と、左右一対の脚部２１２ａ，２１２ｂと、尻尾部材２１３とを供えて構成されている。
【００４９】
頭部材２１１は、胴体部材２１０に設けられた軸部２１４に回動可能に支持されている。
【００５０】
左側脚部２１２ａは、根元部材２１５ａと、前脚部材２１６ａと、後脚部材２１７ａとで構成されている。根元部材２１５ａは、胴体部材２１０に設けられた軸部に回動可能に支持されており、前脚部材２１６ａは、根元部材２１５ａに設けられた軸部２１９ａに回動可能に支持されており、後脚部材２１７ａは、根元部材２１５ａに設けられた軸部２２０ａに回動可能に支持されている。根元部材２１５ａは、胴体部材２１０を周回し、キャラクタ形態において、胴体部材２１０の下面２２４の左半部に重なっている。
【００５１】
右側脚部２１２ｂもまた、根元部材２１５ｂと、前脚部材２１６ｂと、後脚部材２１７ｂとで構成されている。根元部材２１５ｂは、胴体部材２１０に設けられた軸部２１８ｂに回動可能に支持されており、前脚部材２１６ｂは、根元部材２１５ｂに設けられた軸部２１９ｂに回動可能に支持されており、後脚部材２１７ｂは、根元部材２１５ｂに設けられた軸部２２０ｂに回動可能に支持されている。根元部材２１５ｂは、胴体部材２１０を周回し、キャラクタ形態において、胴体部材２１０の下面２２４の右半部に重なっている。
【００５２】
そして、前脚部材２１６ａ，２１６ｂの下面、及び後脚部材２１７ａ，２１７ｂの下面は、このキャラクタ形態において露出した面であって、変形玩具２０１を自立可能とする接地面２２１ａ，２２１ｂ，２２２ａ，２２２ｂとされている。
【００５３】
尻尾部材２１３は、胴体部材２１０に設けられた軸部２２３に回動可能に支持されている。
【００５４】
胴体部材２１０の下面２２４には、変形玩具２０１に固有の識別情報を保持したディジタルコード２２５が頭部材２１１側に付されており、また、ディジタルコード２２５の読取装置との係合部２２６が中央部に設けられている。ディジタルコード２２５は、下面２２４に重なる根元部材２１５ａによって左半部を、また下面２２４に重なる根元部材２１５ｂによって右半部をそれぞれ覆われている。
【００５５】
頭部材２１１、左右一対の脚部２１２ａ，２１２ｂ、尻尾部材２１３が胴体部材２１０に対して適宜回動され、折り畳まれることにより、変形玩具２０１は、図１１及び図１２に示す非キャラクタ形態に変形される。
【００５６】
非キャラクタ形態において、変形玩具２０１は、使用者が把持可能な大きさの扁平なブロック状を呈する。図１２に示す非キャラクタ形態における変形玩具２０１の裏面は、上記の読取装置への装着面とされている。
【００５７】
装着面は、ディジタルコード２２５及び係合部２２６が設けられた胴体部材２１０の下面２２４を含む複数の部材の面の集合によって構成されている。係合部２２６は装着面の中央部に配置され、ディジタルコード２２５は装着面の縁部に配置されている。
【００５８】
このように、キャラクタ形態において露出した面であって変形玩具２０１を自立可能とする接地面２２１ａ，２２１ｂ，２２２ａ，２２２ｂが設けられ、ディジタルコード２２５は、非キャラクタ形態において読取装置への装着面の一部をなす面であって接地面２２１ａ，２２１ｂ，２２２ａ，２２２ｂ以外の面２２４に付されている。さらに本例では、キャラクタ形態において、ディジタルコード２２５が付された面２２４は、根元部材２１５ａ，２１５ｂによって覆われている。それにより、変形玩具２０１の使用、特にキャラクタ形態での変形玩具２０１の使用に伴うディジタルコード２２５の汚損、欠損を一層抑制することができる。
【００５９】
図１３は、本発明の実施形態を説明するための遊戯システムの一例を示し、図１４は、読取装置の機能ブロックを示す。
【００６０】
遊戯システム３０１は、上述した変形玩具１，１０１，２０１から任意に選択される一つの変形玩具と、この変形玩具に付されたディジタルコードを読み取る読取装置３０２とで構成されている。なお、以下では、図１から図４に示した変形玩具１が読取装置３０２に装着されるものとして説明する。
【００６１】
読取装置３０２は、非キャラクタ形態にある変形玩具１が装着可能な装着部３０３と、装着部３０３に装着された変形玩具１の装着面に露出しているディジタルコード２６を読み取るためのカメラ部３０４と、を備えている。
【００６２】
カメラ部３０４は、読取装置３０２の筐体外面に設けられている。装着部３０３は、カメラ部３０４が設けられた筐体外面を覆うカバー部材３０５に設けられており、変形玩具１を嵌め入れることが可能な凹部として形成されている。そして、装着部３０３は、変形玩具１の装着面に設けられている係合部２８と係合し、変形玩具１を固定する係止部３０６を有しており、装着部３０３は、係止部３０６に係止されて装着部３０３に装着された変形玩具１のディジタルコード２６がカメラ部３０４に対向するように、カバー部材３０５の適宜な箇所に設けられている。なお、本例では、装着部３０３がカバー部材３０５に設けられているものとして説明するが、装着部３０３は、読取装置３０２の筐体外面に直接設けられていてもよい。
【００６３】
ここで、変形玩具１の係合部２８は、変形玩具１の装着面の略中央部に設けられており、この係合部２８を係止する装着部３０３の係止部３０５もまた、装着部３０３の略中央部に設けられている。それにより、変形玩具１が装着部３０３に装着された際に変形玩具１が安定する。
【００６４】
読取装置３０２は、主たる構成要素として、上述したカメラ部３０４に加えて、表示部３０７と、入力部３０８と、記憶部３０９と、制御部３１０と、電源部３１１とを備えている。読取装置３０２は、装着部３０３に装着された変形玩具１のディジタルコード２６をカメラ部３０４によって撮影して得られたディジタルコード２６の画像から変形玩具１の種別を判別し、この変形玩具１の種別に対応した画像を表示部３０７に表示させる。表示部３０７に表示される画像としては、キャラクタ形態における変形玩具１の画像を例示することができる。
【００６５】
カメラ部３０４は、例えばＣＣＤ（Charge
Coupled Device）イメージセンサやＣＭＯＳ（Complementary
Metal Oxide Semiconductor）イメージセンサなどの固体撮像素子と、固体撮像素子の受像面に結像する光学系とを有しており、制御部３１０の制御により、光学系によって取り込まれた像を電気信号に変換して画像データとして出力する。
【００６６】
表示部３０７は、例えば液晶パネル等の表示パネルを有しており、制御部３１０の制御により、画像（静止画像および動画像）や文字情報などを表示して視覚的にユーザに情報を伝達する。
【００６７】
入力部３０８は、キースイッチなどを用いたハードウェアキーであって、ユーザからの指示を受け付ける。
【００６８】
記憶部３０９は、制御部３１０の制御プログラムや制御データ、アプリケーションソフトウェアを記憶する。
【００６９】
電源部３１１は、制御部３１０の指示にしたがって、バッテリ（図示せず）に蓄えられた電力を読取装置３０２の各部に供給する。
【００７０】
制御部３１０は、マイクロプロセッサを有しており、記憶部３０９に記憶された制御プログラムや制御データにしたがって動作し、読取装置３０２の各部を統括して制御する。そして、制御部３１０は、アプリケーション処理機能を備えている。変形玩具１の種別に対応した画像表示を行う機能もまた、対応するアプリケーションソフトウェアにしたがって制御部３１０が動作することにより実現される。
【００７１】
入力部３０８に対するユーザ操作によって、変形玩具用アプリケーションソフトウェアが起動されると、制御部３１０は、アプリケーションソフトウェアにしたがって、例えば変形玩具１の撮影を促すメッセージ（画像や文字情報）を表示部３０７に表示させ、ユーザ操作による撮影指示に応答してカメラ部３０４を駆動し、変形玩具１のディジタルコード２６の撮影画像データをカメラ部３０４から出力させる。そして、制御部３１０は、カメラ部３０４から出力されたディジタルコード２６の撮影画像データに基づいてディジタルコードを認識し、変形玩具１の種別を判別する。
【００７２】
そして、制御部３１０は、アプリケーションソフトウェアに付属する変形玩具の種別毎のキャラクタ画像データ群のなかから、変形玩具１の種別に対応するキャラクタ画像データを選択し、これを表示部３０７に表示させる。
【符号の説明】
【００７３】
１           変形玩具
１０       胴体部材
１１       頭部材
１２ａ，１２ｂ    翼部
１３ａ，１３ｂ    脚部材
１４       尻尾部
２３ａ，２３ｂ    接地面
２５       頭部材の後面
２６       ディジタルコード
２７       胴体部材の後面
２８       係合部
３０１    遊戯システム
３０２    読取装置
３０３    装着部
３０４    カメラ部
３０５    表示部
３０６    入力部
３０７    カバー部材
３０８    係止部
３０９    記憶部
３１０    制御部
３１１    電源部
【要約】
【課題】ディジタルコードが付された変形玩具のコードの保護を図る。
【解決手段】互いに相対移動可能に連結された複数の部材を備え、該複数の部材の相対移動を伴って、キャラクタの形態を呈する第１形態と該第１形態とは異なる第２形態との間で変形可能な変形玩具１は、前記第１形態において露出した面であって該変形玩具を自立可能とする接地面２３ａ，２３ｂと、前記第２形態において露出した面であって前記接地面以外の面２５に付されたディジタルコード２６と、を有する。
【選択図】図１【図１】
0005536262.tif 000002
【図２】
0005536262.tif 000003
【図３】
0005536262.tif 000004
【図４】
0005536262.tif 000005
【図５】
0005536262.tif 000006
【図６】
0005536262.tif 000007
【図７】
0005536262.tif 000008
【図８】
0005536262.tif 000009
【図９】
0005536262.tif 000010
【図１０】
0005536262.tif 000011
【図１１】
0005536262.tif 000012
【図１２】
0005536262.tif 000013
【図１３】
0005536262.tif 000014
【図１４】
0005536262.tif 000015